(57)【要約】【課題】ＬＥＤの交換時に、ＬＥＤの高さが低くなってもＬＥＤからの光が周辺にもれることを防止する。【解決手段】エレベータの表示装置１０は、回路基板５と、回路基板５上の複数のＬＥＤ３ａと、ＬＥＤ３ａを覆う表面板１と、回路基板５と表面板１との間に設けられ、各ＬＥＤ３ａの導光空間７を形成する仕切体４とを備えている。回路基板５上に、回路基板５と各仕切体４との間の隙間４ｂを囲んで追加仕切体６が設けられている。【選択図】図２
2015134662.tif 000002
【特許請求の範囲】
【請求項１】
エレベータの乗り場又は乗りかごに設置されたエレベータの表示装置において、
回路基板と、
回路基板上に設けられた複数の発光ダイオードと、
複数の発光ダイオードを覆う表面板と、
回路基板と表面板との間に、回路基板との間に隙間を形成して設けられ、各発光ダイオードの導光空間を形成する仕切体と、
回路基板と各仕切体との間の隙間を囲むように設けられ、発光ダイオードからの光のもれを防止する追加仕切体とを備えたことを特徴とするエレベータの表示装置。
【請求項２】
各追加仕切体の高さは、回路基板と仕切体との間の隙間の高さに対応して定められていることを特徴とする請求項１記載のエレベータの表示装置。
【請求項３】
各追加仕切体は、発光ダイオードからの光を拡散する拡散体からなることを特徴とする請求項１または２記載のエレベータの表示装置。
【発明の詳細な説明】
【技術分野】
【０００１】
本発明の実施の形態は、エレベータの表示装置に関する。
【背景技術】
【０００２】
従来より、エレベータの乗り場又は乗りかごにエレベータの表示装置が設けられている。エレベータの表示装置は回路基板と、回路基板上に設けられた複数の発光ダイオード（ＬＥＤ）と、発光ダイオードを覆う表示板とを備えている。また各発光ダイオードは仕切体により各々仕切られており、この仕切体により発光ダイオードの導光空間が形成されている。
【先行技術文献】
【特許文献】
【０００３】
【特許文献１】特開２００５−１０４６０１号公報
【発明の概要】
【発明が解決しようとする課題】
【０００４】
ところで表示装置に使用されるＬＥＤは、寿命部品のため、一定期間使用されると光が弱くなることから、ＬＥＤを交換する必要がある。
【０００５】
その場合に、最近はリードタイプのＬＥＤから面実装タイプのＬＥＤへ交換することがあり、この場合はＬＥＤの高さが低くなることから、従来使用していた仕切体を使用すると、光源ＬＥＤと仕切体との間から光がもれることがある。
【０００６】
このようにＬＥＤからの光が仕切体からもれてしまうと、表示装置の表示領域のみならずその周辺領域も明るくなってしまい、表示装置の表示領域が不鮮明となる。このためＬＥＤを交換する際、ＬＥＤのみならずその周辺機器も交換する必要がある。
【０００７】
本発明はこのような点を考慮してなされたものであり、ＬＥＤを交換する際、ＬＥＤの高さが低く変化してもＬＥＤからの光が周辺へもれることのないエレベータの表示装置を提供することを目的とする。
【課題を解決するための手段】
【０００８】
本発明は、エレベータの乗り場又は乗りかごに設置されたエレベータの表示装置において、回路基板と、回路基板上に設けられた複数の発光ダイオードと、複数の発光ダイオードを覆う表面板と、回路基板と表面板との間に、回路基板との間に隙間を形成して設けられ、各発光ダイオードの導光空間を形成する仕切体と、回路基板と各仕切体との間の隙間を囲むように設けられ、発光ダイオードからの光のもれを防止する追加仕切体とを備えたことを特徴とするエレベータの表示装置である。
【０００９】
本発明は、各追加仕切体の高さは、回路基板と仕切体との間の隙間の高さに対応して定められていることを特徴とするエレベータの表示装置である。
【００１０】
本発明は、各追加仕切体は、発光ダイオードからの光を拡散する拡散体からなることを特徴とするエレベータの表示装置である。
【図面の簡単な説明】
【００１１】
【図１】図１は本実施の形態のエレベータの表示装置の仕切体と追加仕切体を示す分解斜視図。
【図２】図２（ａ）はエレベータの表示装置を示す平面図、図２（ｂ）はその断面図。
【図３】図３は追加仕切体を取外したエレベータの表示装置を参考例として示す図。
【発明の実施の形態】
【００１２】
以下、図面を参照して本実施の形態について説明する。
図１乃至図３は、本実施の形態によるエレベータの表示装置を示す図である。
【００１３】
本実施の形態において、エレベータの表示装置１０は、エレベータの乗り場１２の壁面に設置されているが、このエレベータの表示装置１０をエレベータの乗りかごに設置してもよい。
【００１４】
このようなエレベータの表示装置１０は、互いに分割された運転方向を示す矢印部９と、運転状態を示す文字部８とを有している。
【００１５】
またエレベータの表示装置１０は、回路基板（表示基板）５と、回路基板５上に設けられ文字部９を構成する複数の発光ダイオード（ＬＥＤ）３ａと、複数のＬＥＤを覆う表示板１とを備えている。
【００１６】
また回路基板５と表示板１との間に、各ＬＥＤ３ａの導光空間７を形成するとともにＬＥＤ３ａからの光を拡散させる拡散体として機能する仕切体４が設けられている。仕切体４は脚部４ａを介して回路基板５上に設けられ、また仕切体４と回路基板５との間には隙間４ｂが形成されている（図３参照）。
【００１７】
ところで、表示板１は周辺部分との間で差異を出すよう透明材からなり、表示板１の裏面には色板２が取付けられている。
【００１８】
また各ＬＥＤ３ａは、面実装タイプのＬＥＤとなっており、このためＬＥＤ３ａの高さは低くなっている。
【００１９】
さらに、回路基板５と各仕切体４との間の隙間４ｂを囲むように、回路基板５上に追加仕切体６が設けられている。
【００２０】
次に図１により、追加仕切体６について述べる。追加仕切体６は、回路基板５と仕切体４との間の隙間４ｂの周囲を囲むように設けられている。追加仕切体６は回路基板５側の小形部６ａと、仕切体４側の大形部６ｂとからなり、ＬＥＤ３ａから出射する光を外方へもれないよう遮光する機能をもつ。このような構成からなる追加仕切体６の高さは、回路基板５と仕切体４との間の隙間４ｂの高さに対応して定められ、隙間４ｂの高さが大きくなれば、それに対応して追加仕切体６の高さを大きくする。
【００２１】
次にこのような構成からなる本実施の形態の作用について説明する。
エレベータの運転中、図示しない制御基板からの信号が回路基板５に送られ、回路基板５に実装されたＬＥＤ３ａが点灯し、外部に、上昇・下降運転、満員などの運転状態を表示する。
【００２２】
この場合、回路基板５に実装されたＬＥＤは面実装タイプのＬＥＤ３ａであって、その高さは低くなっている。このため、回路基板５と仕切体４との間に隙間４ｂが生じるため、ＬＥＤ３ａからの光がこの隙間４ｂからもれることも考えられるが、回路基板５と仕切体４との間の隙間４ｂが追加仕切体６により囲まれているため、ＬＥＤ３ａからの光が隙間４ｂを経て外方へもれることはない。
【００２３】
ところで、図３に示すように、回路基板５上にリードタイプのＬＥＤ３ｂを設けた場合は、回路基板５上に追加仕切体６を設けることなく、ＬＥＤ３ｂからの光のもれを防止できる（図３参照）。すなわち、リードタイプのＬＥＤ３ｂは高さが高いため、回路基板５上のＬＥＤ３ｂと仕切体４との間に隙間が形成されることはない。このためＬＥＤ３ｂからの光は仕切体４の外方へもれることはない。
【００２４】
他方、リードタイプのＬＥＤ３ｂを実装タイプのＬＥＤ３ａに交換する場合は、ＬＥＤ３ａの高さが低くなるため、上述のようにＬＥＤ３ａからの光が仕切体４の外方へもれることも考えられる。従って、回路基板５上のリードタイプのＬＥＤ３ｂを実装タイプのＬＥＤ３ａに交換する際、同時に、回路基板５に回路基板５と仕切板４との間の隙間３ｂを囲む追加仕切体４を設置する。このことによりＬＥＤ３ａからの光のもれを防止することができる。
【００２５】
以上のように本実施の形態によれば、ＬＥＤを交換する際、ＬＥＤの高さが低くなるものと交換しても、ＬＥＤからの光が周辺へもれることはない。
【符号の説明】
【００２６】
１  表示板、２  色板、３ａ  ＬＥＤ、３ｂ  ＬＥＤ、４  仕切体、４ａ  脚部、４ｂ  隙間、５  回路基板、６  追加仕切体、７  導光空間、１０  表示装置
【図１】
2015134662.tif 000003
【図２】
2015134662.tif 000004
【図３】
2015134662.tif 000005
【手続補正書】
【提出日】平成27年2月5日(2015.2.5)
【手続補正１】
【補正対象書類名】明細書
【補正対象項目名】０００８
【補正方法】変更
【補正の内容】
【０００８】
本発明は、エレベータの乗り場又は乗りかごに設置されたエレベータの表示装置において、回路基板と、回路基板上に設けられた複数の発光ダイオードと、複数の発光ダイオードを覆う表面板と、回路基板と表面板との間に、回路基板との間に隙間を形成して設けられ、各発光ダイオードの導光空間を形成する仕切体と、回路基板と各仕切体との間の隙間を囲むように設けられ、発光ダイオードからの光のもれを防止する追加仕切体とを備え、
追加仕切体は回路基板側の小形部と、この小形部に連結され小形部より大形で仕切体側に位置する大形部とを有し、仕切体は表面板側に向かって末広状に形成され、発光ダイオードからの光を小形部、大形部および仕切体を経て表面板側へ拡散させたことを特徴とするエレベータの表示装置である。
【手続補正２】
【補正対象書類名】特許請求の範囲
【補正対象項目名】全文
【補正方法】変更
【補正の内容】
【特許請求の範囲】
【請求項１】
エレベータの乗り場又は乗りかごに設置されたエレベータの表示装置において、
回路基板と、
回路基板上に設けられた複数の発光ダイオードと、
複数の発光ダイオードを覆う表面板と、
回路基板と表面板との間に、回路基板との間に隙間を形成して設けられ、各発光ダイオードの導光空間を形成する仕切体と、
回路基板と各仕切体との間の隙間を囲むように設けられ、発光ダイオードからの光のもれを防止する追加仕切体とを備え、
追加仕切体は回路基板側の小形部と、この小形部に連結され小形部より大形で仕切体側に位置する大形部とを有し、仕切体は表面板側に向かって末広状に形成され、
発光ダイオードからの光を小形部、大形部および仕切体を経て表面板側へ拡散させたことを特徴とするエレベータの表示装置。
【請求項２】
各追加仕切体の高さは、回路基板と仕切体との間の隙間の高さに対応して定められていることを特徴とする請求項１記載のエレベータの表示装置。
【請求項３】
各追加仕切体は、発光ダイオードからの光を拡散する拡散体からなることを特徴とする請求項１または２記載のエレベータの表示装置。